(57)【要約】【課題】物品を壁面に取り付ける際の作業の手間を軽減できるようにする。【解決手段】ユニットプレート２０と壁面との間に挿入可能にするための開口部１１と、ネジ止めされたユニットプレート２０が圧接する周縁部１２，１３と、物品５０を保持するための保持構造部１４とを備えたベースプレート１０を、壁面に既設のウォールユニットが備えるユニットプレート２０のネジを緩めて作った壁面とユニットプレート２０との隙間に挿入した後、ユニットプレート２０のネジを締め直し、挟持されたベースプレート１０の保持構造部１４に物品５０を取り付けることにより、壁面にネジ止めされているユニットプレート２０をいったん完全に取り外すことなく、単にネジを緩めるだけで、壁面に物品５０を取り付けることができるようにする。【選択図】図１
2015141870.tif 000002
【特許請求の範囲】
【請求項１】
壁面に設けられたコンセントボックスを利用して物品を取り付けることができるように構成した壁面に対する物品の取付構造であって、
操作ユニットが装着されるとともに上記コンセントボックスに対してネジ止めされるユニットプレートと、
上記ユニットプレートと壁面との間に挿入可能にした構成で、上記ネジ止めされた上記ユニットプレートと上記壁面とにより挟持されるベースプレートとを備え、
上記ベースプレートは、当該ベースプレートを上記ユニットプレートと壁面との間に挿入可能にするための開口部と、当該開口部の周縁にあって上記ネジ止めされた上記ユニットプレートが圧接する周縁部と、上記物品を保持するための保持構造部とを有することを特徴とする壁面に対する物品の取付構造。
【請求項２】
上記ベースプレートは、略コの字状をした上記周縁部の開放端の部分に、着脱可能に構成された枠部を備えたことを特徴とする請求項１に記載の壁面に対する物品の取付構造。
【請求項３】
上記ユニットプレートは、上記操作ユニットが取り付けられる取付金具と、上記カバープレートが着脱自在に装着されるカバー受けプレートとから構成されることを特徴とする請求項１に記載の壁面に対する物品の取付構造。
【請求項４】
壁面に設けられたコンセントボックスに対して、操作ユニットが装着されるユニットプレートをネジ止めすることによって上記操作ユニットを上記壁面に埋め込み設置するようになされたウォールユニットに物品を取り付けるための取付用部材であって、
上記ユニットプレートと壁面との間に挿入可能にするための開口部と、
上記開口部の周縁にあって上記ネジ止めされた上記ユニットプレートが圧接する周縁部と、
上記物品を保持するための保持構造部とを備え、
上記ユニットプレートと壁面との間に挿入された後、上記ユニットプレートがネジ止めされたとき、上記ユニットプレートと上記壁面とにより上記周縁部が挟持されるように構成したことを特徴とする物品の取付用部材。
【請求項５】
略コの字状をした上記周縁部の開放端の部分に、着脱可能に構成された枠部を備えたことを特徴とする請求項４に記載の物品の取付用部材。
【発明の詳細な説明】
【技術分野】
【０００１】
本発明は、壁面に対する物品の取付構造および取付用部材に関し、特に、壁面に設けられたコンセントボックスを利用して物品を取り付けることができるように構成した取付構造に用いて好適なものである。
【背景技術】
【０００２】
従来、時計や照明器具、薄型テレビなどの様々な物品を壁面に取り付けることが普通に行われている。通常、これらの物品は、ネジを用いて壁面に取り付けていた。また、専用の取付用金具またはプレート等をネジにより壁面に取り付け、その取付用金具またはプレート等に対して物品を設置する構造となっているものもあった。ただし、これらの場合は、ネジ止めするための孔を硬い壁面に設けることが必要となり、取り付けが難しいという問題があった。
【０００３】
また、壁面に設けられたコンセントボックスを利用して物品を取り付けることができるように構成したものも提供されている。例えば、病院や介護施設などに一般的に導入されているナースコールシステムでは、患者のベッドサイドの壁面に壁埋込形子機（ウォールユニットとも呼ばれる）が設けられている（例えば、特許文献１参照）。この壁埋込形子機の中には、図５に示すようにフック２０１を備えるタイプのものがあり、フック２０１にナースコール子機を懸架することができるように構成されている。
【０００４】
図５のようなフック付きの壁埋込形子機のような構造であれば、ネジ止めするための孔を壁面に設けることなく、物品を壁面に取り付ける（正確にはフックに懸架する）ことが可能である。特許文献１に記載のプレート子機においても、スイッチ類だけで構成された操作ユニットの代わりに、フック付きの操作ユニットを取り付ければ、ネジ止めするための孔を壁面に設けることなく、ナースコール子機等の物品を壁面のフックに懸架することが可能である。また、フックに限らず、物品を保持するための何らかの保持構造を備えた操作ユニットをプレート子機に取り付ければ、ネジ止めするための孔を壁面に設けることなく、物品を壁面に取り付けることが可能である。
【０００５】
なお、特許文献１に記載のプレート子機（壁埋込形子機）は、操作ユニットが取り付けられる取付金具の周囲を覆って壁面との隙間を覆い隠すためのパネル下の下部に突片を設けるとともに、この突片に係合する係合溝を取付金具の下端に設け、パネル下に取付金具の下部を保持可能に構成されている。このような構成により、パネル下に取付金具をスライド挿入して下部を保持させた後、取付金具にパネル下の上部だけをビス止めすればよくなるので、プレート子機の組み立てを容易に行うことが可能とされている。
【０００６】
確かに、特許文献１に記載の構成では、取付金具にパネル下を取り付ける際にビス止めは最小限で良いため、その点では組み立ての手間を軽減することが可能である。しかしながら、フック等の保持構造付きの操作ユニットを壁面に取り付ける際には、ネジ止めされている取付金具をいったん壁から取り外し、操作ユニットを取り付けた後に再び取付金具を壁面にネジ止めする必要がある。そのため、その点でまだ作業の手間が多くかかってしまうという問題があった。
【先行技術文献】
【特許文献】
【０００７】
【特許文献１】特開２００３−２２３９５１号公報
【特許文献２】特開２００６−２６９３７２号公報
【発明の概要】
【発明が解決しようとする課題】
【０００８】
本発明は、このような問題を解決するために成されたものであり、物品を壁面に取り付ける際の作業の手間をさらに軽減できるようにすることを目的とする。
【課題を解決するための手段】
【０００９】
上記した課題を解決するために、本発明では、コンセントボックスに対してネジ止めされるユニットプレートと壁面との間に挿入可能な構成で、ネジ止めされたユニットプレートと壁面とにより挟持されるベースプレートを設けている。このベースプレートは、当該ベースプレートをユニットプレートと壁面との間に挿入可能にするための開口部と、当該開口部の周縁にあってネジ止めされたユニットプレートが圧接する周縁部と、物品を保持するための保持構造部とを備えるようにしている。
【発明の効果】
【００１０】
上記のように構成した本発明によれば、壁面に物品を取り付ける際には、壁面に取り付けられているユニットプレートのネジを緩めて壁面とユニットプレートとの間に隙間を作り、その隙間にベースプレートを挿入した後、ユニットプレートのネジを締め直して、このようにして壁面に取り付けたベースプレートの保持構造部に物品を保持させればよい。このため、壁面にネジ止めされているユニットプレートをいったん完全に取り外す必要がなく、単にネジを緩めるだけでよいので、壁面に物品を取り付ける際の作業の手間を大幅に軽減することができる。
【図面の簡単な説明】
【００１１】
【図１】本実施形態による壁面に対する物品の取付構造の構成例を示す図である。
【図２】本実施形態によるベースプレートの他の構成例を示す図である。
【図３Ａ】本実施形態のベースプレートを用いて物品を壁面に取り付ける手順を示す図である。
【図３Ｂ】本実施形態のベースプレートを用いて物品を壁面に取り付ける手順を示す図である。
【図３Ｃ】本実施形態のベースプレートを用いて物品を壁面に取り付ける手順を示す図である。
【図３Ｄ】本実施形態のベースプレートを用いて物品を壁面に取り付ける手順を示す図である。
【図３Ｅ】本実施形態のベースプレートを用いて物品を壁面に取り付ける手順を示す図である。
【図３Ｆ】本実施形態のベースプレートを用いて物品を壁面に取り付ける手順を示す図である。
【図３Ｇ】本実施形態のベースプレートを用いて物品を壁面に取り付ける手順を示す図である。
【図４】本実施形態による壁面に対する物品の取付構造の他の適用例を示す図である。
【図５】従来の壁埋込形子機の構成例を示す図である。
【発明を実施するための形態】
【００１２】
以下、本発明の一実施形態を図面に基づいて説明する。図１は、本実施形態による壁面に対する物品の取付構造の構成例を示す図である。本実施形態の取付構造は、壁面に設けられたコンセントボックスを利用して物品を取り付けることができるように構成したものであり、図１に示すように、ベースプレート１０、ユニットプレート２０およびカバープレート３０を備えて構成されている。
【００１３】
ユニットプレート２０およびカバープレート３０は、コンセントボックスを利用して操作ユニットを壁面に埋め込み設置するようになされたウォールユニットであり、既存製品をそのまま適用可能である。本実施形態では、このウォールユニットに対してベースプレート１０を取り付けることにより、壁面に対して物品を取り付けることができるようにしている。
【００１４】
図１（ｂ）に示すユニットプレート２０は、操作ユニット４０が装着されるとともに、壁面のコンセントボックスに対してネジ止めされるものである。具体的には、ユニットプレート２０は、操作ユニット４０が取り付けられる取付金具２１と、カバープレート３０が着脱自在に装着されるカバー受けプレート２２とから構成されている。また、取付金具２１およびカバー受けプレート２２は、当該取付金具２１とカバー受けプレート２２とを一体化させてコンセントボックスにネジ止めするためのネジ穴２３を有している。操作ユニット４０の取付金具２１に対する取り付けも、このネジ穴２３を用いたネジ止めによって行う。
【００１５】
図１（ｂ）は、ユニットプレート２０に操作ユニット４０が装着された状態を示している。図１（ｂ）の例では、操作ユニット４０として、２つの壁埋込形子機４０ａ，４０ｂを示している。第１の壁埋込形子機４０ａは、患者が使用するナースコール子機のプラグを接続する差込口（プラグ受け）と、患者からの呼び出しに対して看護師が応答する際に押下する復旧ボタンとを備えたタイプである。第２の壁埋込形子機４０ｂは、看護師が使用する呼出ボタンと、ナースコール子機のハンガー等を懸架することができるように成されたフックとを備えたタイプである。
【００１６】
このように２つの壁埋込形子機４０ａ，４０ｂを装着した状態にして、ユニットプレート２０をコンセントボックスにネジ止めするために、２つの壁埋込形子機４０ａ，４０ｂの上下に２ヵ所ずつ、合計４ヶ所にネジ穴２３が設けられている。なお、このネジ穴２３の数および配置は一例であり、これに限定されるものではない。ユニットプレート２０は、様々なタイプの操作ユニット４０を装着可能な既存の製品をそのまま使用することができるので、ネジ穴２３の数および配置は既存製品次第ということになる。
【００１７】
図１（ｃ）に示すカバープレート３０は、ユニットプレート２０を覆うものである。すなわち、カバープレート３０は、２つの壁埋込形子機４０ａ，４０ｂを通す２つの開口部３１ａ，３１ｂを有しており、それ以外の部分でユニットプレート２０を覆うことができるようになされている。このカバープレート３０は、ユニットプレート２０のカバー受けプレート２２に対して着脱自在に装着される。
【００１８】
図１（ｃ）に示すベースプレート１０は、ユニットプレート２０と壁面との間に挿入されるものであり、挿入後にユニットプレート２０がネジ止めされたとき、ユニットプレート２０と壁面とにより挟持されるように構成されている。すなわち、ベースプレート１０は、当該ベースプレート１０をユニットプレート２０と壁面との間に挿入可能にするための開口部１１と、当該開口部１１の周縁にあってネジ止めされたユニットプレート２０が圧接する周縁部１２，１３とを有している。
【００１９】
周縁部１２，１３は、略コの字形状に形成されている。その周縁部１２，１３の３辺に囲まれるとともに１辺が開放された開口部１１の大きさは、ユニットプレート２０が備える４つのネジ穴２３に外接する矩形の大きさよりも大きくなるように設計されている。
【００２０】
このように開口部１１を構成することにより、ネジ止めにより壁面に固定されているユニットプレート２０のネジを緩めて、ユニットプレート２０と壁面との間にベースプレート１０の厚みよりも若干大きな隙間を作るだけで、その隙間にベースプレート１０を開口部１１の開放端の方向から挿入することが可能である。したがって、ベースプレート１０の厚みは、ネジを完全に外さずに緩めただけの状態にした場合に、そのときユニットプレート２０と壁面との間にできる隙間よりも薄くなるように設計する。
【００２１】
なお、ベースプレート１０は、図２に示すように、略コの字形状をした周縁部１２，１３の開放端の部分に、着脱可能に構成された枠部１５を備える構成としてもよい。図２の例では、略コの字形状をした枠部１５の先端に、上下（周縁部１２が存在する側）に突出する凸部１５ａを備えている。一方、周縁部１２は、凸部１５ａが嵌合する凹部１２ａを備えている。
【００２２】
ベースプレート１０の開放端に対向する辺の周縁部１３は、開口部１１の上下にある周縁部１２の縦方向（上下方向）幅よりも、横方向の幅が大きくなるように設計されている。そして、その周縁部１３の開口部１１とは反対側の端部に、物品を保持するための保持構造部１４を有している。周縁部１３の幅をどの程度の大きさにするかは、保持構造部１４に取り付ける物品に大きさにより任意に設計することが可能である。
【００２３】
図３Ａ〜図３Ｇは、以上のように構成した本実施形態のベースプレート１０を用いて、物品を壁面に取り付ける作業の手順を示す図である。まず、図３Ａに示すように、壁面のコンセントボックス１００に既設のウォールユニットからカバープレート３０を取り外し、ユニットプレート２０のネジを緩めることにより、ユニットプレート２０と壁面との間に隙間を作る。このとき、ナースコール子機のプラグを壁埋込形子機４０ａの差込口から取り外す必要はない。
【００２４】
次に、図３Ｂに示すように、ベースプレート１０から枠部１５を取り外す。そして、図３Ｃに示すように、ユニットプレート２０と壁面との間に作った隙間の中に、開口部１１の開放端の方向からベースプレート１０を挿入する。その後、図３Ｄに示すように、先に取り外した枠部１５をベースプレート１０に組み付けた後、緩めておいたネジを締め込むことにより、ユニットプレート２０と壁面とでベースプレート１０を挟持する。
【００２５】
さらに、図３Ｅに示すように、取り外しておいたカバープレート３０をユニットプレート２０に取り付ける。次に、図３Ｆに示すように、取り付けたい物品５０の裏側に、ベースプレート１０の保持構造部１４に固定するための金具５１を取り付ける。ここでは物品５０の一例として、表示器を示している。なお、図３Ｆの例では、金具５１を物品５０にネジ止めする構成を示しているが、取り付け方法はネジ止めに限定されない。また、この金具５１を物品５０に最初から一体的に設けておいてもよい。
【００２６】
最後に、図３Ｇに示すように、ベースプレート１０の保持構造部１４と物品５０の金具５１とをネジ止めすることにより、物品５０をベースプレート１０に取り付ける。なお、図３Ｇの例では、物品５０をベースプレート１０にネジ止めする構成を示しているが、取り付け方法はネジ止めに限定されない。
【００２７】
以上詳しく説明したように、本実施形態では、ユニットプレート２０と壁面との間に挿入可能な構成で、ネジ止めされたユニットプレート２０と壁面とにより挟持されるベースプレート１０を設けている。このベースプレート１０は、当該ベースプレート１０をユニットプレート２０と壁面との間に挿入可能にするための開口部１１と、当該開口部１１の周縁にあってネジ止めされたユニットプレート２０が圧接する周縁部１２，１３と、物品５０を保持するための保持構造部１４とを有している。
【００２８】
このように構成した本実施形態の取付構造によれば、壁面に物品５０を取り付ける際には、壁面に既設のウォールユニットが備えるユニットプレート２０のネジを緩めて壁面とユニットプレート２０との間に隙間を作り、その隙間にベースプレート１０を挿入した後、ユニットプレート２０のネジを締め直す。そして、このようにして壁面に取り付けたベースプレート１０の保持構造部１４に物品５０を取り付ければよい。このため、壁面にネジ止めされているユニットプレート２０をいったん完全に取り外す必要がなく、単にネジを緩めるだけでよいので、壁面に物品５０を取り付ける際の作業の手間を大幅に軽減することができる。
【００２９】
なお、上記実施形態では、ウォールユニットの一例として、２つの壁埋込形子機４０ａ，４０ｂを備えたウォールユニットを示したが、物品５０を取り付けるウォールユニットはこれに限定されない。例えば、図４に示すように、操作ユニット４０として複数のスイッチ４１が装着されたウォールユニットに対して、ベースプレート１０を介して物品５０を取り付けるようにすることも可能である。
【００３０】
また、上記実施形態では、図３Ｃのようにベースプレート１０を横方向に挿入する例について説明したが、本発明はこれに限定されない。例えば、ベースプレート１０を縦方向に挿入するようにしてもよい。
【００３１】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３２】
１０  ベースプレート
１１  開口部
１２，１３  周縁部
１４  保持構造部
１５  枠部
２０  ユニットプレート
３０  カバープレート
４０  操作ユニット
５０  物品
【図１】
2015141870.tif 000003
【図２】
2015141870.tif 000004
【図３Ａ】
2015141870.tif 000005
【図３Ｂ】
2015141870.tif 000006
【図３Ｃ】
2015141870.tif 000007
【図３Ｄ】
2015141870.tif 000008
【図３Ｅ】
2015141870.tif 000009
【図３Ｆ】
2015141870.tif 000010
【図３Ｇ】
2015141870.tif 000011
【図４】
2015141870.tif 000012
【図５】
2015141870.tif 000013